(57)【要約】  パネル（１１００）の第１及び第２の部分（１１１０、１１２０）によって互いに連結された第１、第２及び第３の実質的に平行六面体の容器（３００、５００、７００）を含み、各容器は、前壁（３０１、５０１、７０１）、後壁（３０２、５０２、７０２）、第１の側壁（３０３、５０３、７０３）及び第２の側壁（３０４、５０４、７０４）を有する喫煙品を収納するためのパッケージ（１００）であって、前壁及び後壁はそれぞれ各側壁よりも大きく、前記容器それぞれの前壁または後壁の少なくとも一方が前記パネルを含む、パッケージが提供される。
2012509822.tif 000002
【特許請求の範囲】
【請求項１】
パネル（１１００）の第１及び第２の部分（１１１０、１１２０）によって互いに連結された第１、第２及び第３の実質的に平行六面体の容器（３００、５００、７００）を含み、各容器は、前壁（３０１、５０１、７０１）、後壁（３０２、５０２、７０２）、第１の側壁（３０３、５０３、７０３）及び第２の側壁（３０４、５０４、７０４）を有する喫煙品を収納するためのパッケージ（１００）であって、
前壁及び後壁はそれぞれ各側壁よりも大きく、
前記容器それぞれの前壁または後壁の少なくとも一方が前記パネルを含む、パッケージ。
【請求項２】
前記パネルは、第１、第２及び第３容器のそれぞれの前壁または後壁の外面を形成する第３部分（１１３０）、第４の部分（１１４０）及び第５の部分（１１５０）を含むことを特徴とする、請求項１記載のパッケージ。
【請求項３】
パネルは、前記容器の内の少なくとも２つの容器の前壁及び後壁の両方の外面を形成することを特徴とする、請求項１または２記載のパッケージ。
【請求項４】
パッケージは、単一のパネルから形成されることを特徴とする、請求項１乃至３いずれか１項記載のパッケージ。
【請求項５】
前記容器は、それぞれ
パネルの一部と、
パネルに接合された実質的に平行六面体の箱（３５０、５５０、７５０）を含む、
ことを特徴とする、請求項１乃至３いずれか１項記載のパッケージ。
【請求項６】
前記容器それぞれのの前壁または後壁の少なくとも一方は、実質的に平行六面体の前記箱のうちの１つからなるセクションをさらに含むことを特徴とする、請求項５記載のパッケージ。
【請求項７】
前記箱が内蔵式ユニットであり、前記箱のそれぞれの一面がパネルの表面に接着されていることを特徴とする、請求項５または６記載のパッケージ。
【請求項８】
前記容器のうちの少なくとも１つが複数の喫煙品を収納することを特徴とする、請求項１乃至７いずれか１項記載のパッケージ。
【請求項９】
情報をパッケージの使用者が視認できるようにパネルに印刷されることを特徴とする、請求項１乃至８いずれか１項記載のパッケージ。
【請求項１０】
パッケージが、第１、第２及び第３の容器が平行六面体の形状になるように重ね合わせられたコンパクト化された状態になるように可動であることを特徴とする、請求項１乃至９いずれか１項記載のパッケージ。
【発明の詳細な説明】
【技術分野】
【０００１】
本発明はパッケージに関する。特に、本発明はパネルのいくつかの部分によって互いに連結された第１、第２及び第３の容器を含む喫煙品用のパッケージに関するが、これに限定するものではない。
【０００２】
本明細書中で使用する「喫煙品」なる用語は、タバコ、タバコ派生物、膨張タバコ、再生タバコまたはタバコ代替物および熱によって燃焼しない製品から得られる紙巻きタバコ、シガーおよびシガリロなどの喫煙可能な製品を含む。
【背景技術】
【０００３】
従来から、喫煙品用パッケージは、ヒンジ式の蓋付きの剛性の箱形状のものが知られている。その箱は通常、金属箔紙の密封されたパケットに包まれた複数の喫煙品、例えば２０本の紙巻きタバコなどを収納する。未開封のパッケージから喫煙品を取り出すために、使用者は内部の喫煙品に触れることができるように金属箔パケットの封を切る。しかしながら、金属箔パケットを開封することによって、箱内の全ての喫煙品が箱の外の空気に直ちに晒されるので、喫煙品の鮮度を失い始める原因になる。
【発明の概要】
【発明が解決しようとする課題】
【０００４】
この問題を解決するために喫煙品が複数の密封金属箔パケットに分けられるように、２つ以上の箱を含むパッケージを提供することが提案されている。このような複数のパケットを有するパッケージでは、より少ない数の喫煙品がそれぞれの金属箔パケットに収納され、したがって、特定の金属箔パケットの封が切られたときに箱外の空気に晒される喫煙品の数は少なくなる。
【０００５】
そのようなパッケージを提供することには、いくつかの理由で問題がある。たとえば、複数のパケットを有するパッケージは、それら個々のパケットが残りのパッケージから外れやすくなるので、耐久性が乏しくなる場合がある。さらに、複数のパケットを設けることによって、パッケージが使用するにつれて早く損耗するという意味で、パケットが比較的脆くて壊れやすくなることがよくある。これにより複数のパケットを有するパッケージを使用し難くし、従来の剛性のある箱と比較すると、パッケージの内部の紙巻きタバコが損傷する可能性を高めることにつながる。さらに、複数のパケットを使用することは、それが従来のパッケージよりもさらに複雑な構造を有することを意味し、対応する製造工程を複雑にすることにつながる。特に、複数のパケットを有する構造が複雑なパーケージは、そのようなパッケージの表面に情報を印刷する際に、時間および費用がかかってしまう。
【課題を解決するための手段】
【０００６】
本発明では喫煙品を収納するためのパッケージが供され、そのパッケージはパネルの第１及び第２の部分によって互いに連結された第１、第２及び第３の実質的に平行六面体の容器を含み、各容器は、前壁、後壁、第１の側壁及び第２の側壁を有し、前壁及び後壁はそれぞれ各側壁よりも大きく、各容器の前壁または後壁の少なくとも一方がそのパネルを含む。
【０００７】
パネルは、第１、第２及び第３容器のそれぞれの前壁または後壁の外面を形成する第３、第４及び第５の部分を含む。
【０００８】
パネルは、少なくとも２つの容器の前壁及び後壁の両方の外面を形成してもよい。
【０００９】
パッケージは、単一のパネルから形成してもよい。
【００１０】
それぞれの容器は、パネルの一部と、パネルに接合された実質的に平行六面体の箱を含んでもよい。
【００１１】
それぞれの容器の前壁または後壁の少なくとも一方は、実質的に平行六面体の箱のうちの１つからなるセクションをさらに含んでもよい。
【００１２】
箱は内蔵式(self-contained)ユニットであってもよく、それぞれの箱の一面がパネルの表面に接着されてもよい。
【００１３】
上記容器のうちの少なくとも１つが複数の喫煙品を収納してもよい。
【００１４】
情報をパッケージの使用者が視認できるようにパネルに印刷してもよい。
【００１５】
パッケージは、第１、第２及び第３の容器が平行六面体の形状になるように重ね合わせられたコンパクト化された状態になるように可動である。
【００１６】
また本発明では上記パッケージのブランクが提供される。
【００１７】
本発明の実施態様を、添付図面を参照し、あくまで例示を目的として以下に詳述する。
【図面の簡単な説明】
【００１８】
【図１】開いた形態にある喫煙品用パッケージの一例を正面から示した斜視図であり、パッケージはパネルのいくつかの部分によって連結された第１、第２及び第３の容器を含む。
【図２】図１に示した開いた形態にある喫煙品用パッケージを背面側から示した斜視図である。
【図３】半分開いた形態にある喫煙品用パッケージを正面から示した斜視図であり、第１容器が第２容器に対面するように位置合わせされ、積み重ねられている。
【図４】コンパクト化された状態にある喫煙品用パッケージを正面から示した斜視図であり、第１、第２及び第３容器が互いに面するように全てが位置合わせされ、積層体を形成している。
【図５】コンパクト化された状態にある喫煙品用パッケージの斜視図であり、第１、第２及び第３容器の側壁がパネルの一部によって覆われている。
【図６】コンパクト化された状態にある喫煙品用パッケージの斜視図であり、第１及び第２容器の側壁がパネルの一部によって覆われている。
【図７】喫煙品を収納し、かつ、喫煙品用パッケージの第１、第２及び第３容器のうちの１つを形成するための実質的に平行六面体の箱の第１の視点における斜視図である。
【図８】喫煙品を収納し、かつ、喫煙品用パッケージの第１、第２及び第３容器のうちの１つを形成するための実質的に平行六面体の箱の第２の視点における斜視図である。
【図９】パッケージがコンパクト化された状態にあるときの、第１、第２及び第３容器の第１の例の開口端部を示し、さらに第１、第２及び第３の箱の面とパネルとの間の接合状態を示す平面図である。
【図１０】パッケージが開いた状態にあるときの、第１、第２及び第３容器の第１の例の開口端部を示し、さらに第１、第２及び第３の箱の面とパネルとの間の接合状態を示す平面図である。
【図１１】パッケージがコンパクト化された状態にあるときの、第１、第２及び第３容器の第２の例の開口端部を示し、さらに第１、第２及び第３の箱の面とパネルとの間の接合状態を示す平面図である。
【図１２】パッケージが開いた状態にあるときの、第１、第２及び第３容器の第２の例の開口端部を示し、さらに第１、第２及び第３の箱の面とパネルとの間の接合状態を示す平面図である。
【図１３】パッケージがコンパクト化された状態にあるときの、第１、第２及び第３容器の第３の例の開口端部を示す平面図である。
【図１４】パッケージが開いた状態にあるときの、第１、第２及び第３容器の第３の例の開口端部を示す平面図である。
【図１５】開いた状態にある喫煙品用パッケージを正面から示した斜視図であり、パッケージには折りたたみ式の蓋が設けられ、該蓋が開いた状態に示されている。
【図１６】コンパクト化された状態にある喫煙品用パッケージを正面から示した斜視図であり、パッケージには折りたたみ式の蓋が設けられ、該蓋が閉じた状態に示されている。
【図１７】喫煙品用パッケージの側面図であり、パッケージに設けられた折りたたみ式の蓋には舌部が設けられ、さらに第３容器の前壁は舌部を受けるためのスロットを含んでいる。
【発明を実施するための形態】
【００１９】
図１と２は、喫煙品用のパッケージ１００の正面側斜視図及び背面側斜視図である。パッケージ１００は、開いた状態に示されており、それぞれが複数の喫煙品９００を収納するのに適した第１容器３００、第２容器５００及び第３容器７００を含む。以下に示す例においてパッケージ１００は、紙巻きタバコのパッケージとして説明する。しかし、当然のことながら、パッケージ１００は、たとえば上記に挙げた喫煙品や、または嗅ぎたばこ（snuff）やスヌースなどの非喫煙式のタバコ製品などの別の形式の喫煙品を収納するのにも適している。
【００２０】
この例では、容器３００、５００、７００は、それぞれ外観が実質的に平行六面体であり、前壁３０１、５０１、７０１、後壁３０２、５０２、７０２、第１の側壁３０３、５０３、７０３、第２の側壁３０４、５０４、７０４及び底壁３０５、５０５、７０５を含む。また容器３００、５００、７００は、それぞれ喫煙品９００を容器３００、５００、７００に挿入し、そして各容器から喫煙品９００を取り出すための開口端部３０６、５０６、７０６を含む。容器３００、５００、７００は、紙巻きタバコパッケージ１００が図１及び２に示す開いた形態にあるときに、パッケージ１００の背面側を横断するパネル１１００の部分１１１０、１１２０によって互いに連結されている。パネルの部分１１１０、１１２０は、容器３００、５００、７００を相互に移動可能にし、このことは、パッケージ１００が開いた状態とコンパクト化された状態の両方の状態になるることを意味する。
【００２１】
より具体的には、図１及び２で例示するように、第１及び第２容器３００、５００は、パネル１１００の第１の部分１１１０によって接続され、第２及び第３容器５００、７００はパネル１１００の第２の部分１１２０によって接続されている。この例では、これら第１及び第２パネル部分１１１０、１１２０は、第１及び第３容器３００、７００のそれぞれが第２容器５００の周囲で枢動できるように、容器３００、５００、７００をヒンジ式に接続されている。同様に、第１及び第２パネル部分１１１０、１１２０によって第２容器５００は、第１及び第３容器３００、７００のそれぞれの周囲で枢動できるようになっている。図２において点線で示されているようにパネル１１００は、ヒンジ線を含んでもよく、これらヒンジ線を中心に第１及び第２パネル部分１１１０、１１２０および第１から第３容器３００、５００、７００が枢動することができる。容器３００、５００、７００が枢動可能であることによって、容器３００、５００、７００を、たとえば図３から図６に示すように、互いに重ねた状態に折りたたみ、パッケージ１００をコンパクト化することが可能になる。コンパクト化された状態にあるとき、パッケージ１００の外観形状は、単一の剛性の箱から構成された従来の紙巻きタバコパッケージと似た外観形状を有する。
【００２２】
この例において、図４、５及び６を参照すると、パッケージ１００がコンパクト化された状態にあるとき、第１容器３００は、第２容器５００と第３容器７００の間に挟まれる。例えば、パッケージ１００が図５及び６に示すように配向された場合、第２容器５００は、重ねられた容器３００、５００、７００の一番下に位置し、第１容器３００は第２容器５００の上に位置し、さらに第３容器７００は第１容器３００の上に位置する。このような積層体において、第１容器３００の前壁３０１は第２容器５００の前壁５０１に面し、さらに第３容器７００の前壁７０１は、第１容器３００の後壁３０２に面する。
【００２３】
再度図１及び２を参照すると、第１容器３００と第２容器５００を接続する第１パネル部分１１１０の幅は、第２容器５００と第３容器７００を接続する第２パネル部分１１２０の幅よりも実質的に短い。さらに詳細には、この例において、第１パネル部分１１１０の幅は、第２パネル部分１１２０の幅の約３分の２である。第１パネル部分１１１０の幅は、パッケージ１００が図４から６に示されたコンパクト化された状態にあるときの、第２容器５００の後壁５０２と第１容器３００の後壁３０２との間の距離に対応する。そのため、第１パネル部分１１１０の幅は、第１容器３００の第１側面壁３０３の幅と、第２容器５００の第２側面壁５０４の幅と、第３容器７００の第１側面壁７０３の幅の合計に実質的に等しい。
【００２４】
同様に、第２パネル部分１１２０の幅は、パッケージ１００が図４から６に示すコンパクト化された状態にあるとき、第２容器５００の後壁５０２と第３容器７００の後壁７０２との間の距離に対応する。したがって、この例において、第２パネル部分１１２０の幅は、第１容器３００の第２側壁３０４の幅と、第２容器５００の第１側壁５０３の幅の合計に実質的に等しい。このようにして、第１パネル部分１１１０と第２パネル部分１１２０の幅の違いによって容器３００、５００、７００を共に折りたたんだ時に、容器３００、５００、７００の縁部間に正確な距離の間隔を供し、それによって容器３００、５００、７００が折り重ねやすくなる。
【００２５】
第１及び第２パネル部分１１１０、１１２０は、その長さが実質的に等しくてもよいが、しかし当然のことながら、第１及び第２パネル部分の長さが異なるパッケージ１００の実施態様も同様に可能である。この例において、第１及び第２パネル部分１１１０、１１２０のそれぞれの長さは、当該パネル部分１１１０、１１２０が接続される容器３００、５００、７００の側壁３０３、５０３、７０３、３０４、５０４、７０４の長さに実質的に等しい。
【００２６】
図２に示すように、第１パネル部分１１１０と第２パネル部分１１２０は、パッケージ１００が開いた形態にある時にパッケージ１００の背面側を横断する連続するパネル１１００の部分である。上述した第１及び第２パネル部分１１１０、１１２０に加え、連続するパネル１１００は、容器３００、５００、７００のそれぞれの後壁３０２、５０２、７０２の外面を形成する第３の部分１１３０、第４の部分１１４０及び第５の部分１１５０も含む。
【００２７】
一例において、容器３００、５００、７００の構造は、図１３及び１４で示されるように、パネル１１００のみから形成される。しかしながら、この例では、容器３００、５００、７００のそれぞれが、喫煙品を収納するための空洞３６０、５６０、７６０を有する内蔵式の実質的に平行六面体の箱３５０、５５０、７５０を含んでいる。このような平行六面体の箱の例を図７及び８に示す。箱３５０、５５０、７５０は、それぞれ前面３５１、５５１、７５１、後面３５２、５５２、７５２、第１側面３５３、５５３、７５３、第２側面３５４、５５４、７５４、端面３５５、５５５、７５５及び空洞３６０、５６０、７６０内の内容物を取り出すための開口端部３５６、５５６、７５６を有する。箱３５０、５５０、７５０のそれぞれの後面３５２、５５２、７５２は、図９から１２に示すように、パネル１１００の第３、第４及び第５部分１１３０、１１４０、１１５０のひとつに接合される。さらに具体的にいえば、この例では、パッケージ１００が開いた形態にあるとき、パネル１１００が、平行六面体の箱３５０、５５０、７５０の全ての後面３５２、５５２、７５２を横断するように、第１の箱３５０の後壁３５２はパネル１１００の第３部分１１３０に接合され、第２の箱５５０の後面５５２はパネル１１００の第４部分１１４０に接合され、さらに第３の箱７５０の後面７５２はパネル１１００の第５部分１１５０に接合される。
【００２８】
パネル１１００は、たとえば適切な接着剤を含む接合手段１３００を用いて箱３５０、５５０、７５０のそれぞれの後面３５２、５５２、７５２に接合される。この例において、パネル１１００の第３から第５部分１１３０、１１４０、１１５０は、実質的に箱３５０、５５０、７５０の後面３５２、５５２、７５２全面を覆う。これにより接着剤が面３５２、５５２、７５２の広い範囲に亘って塗布され、箱３５０、５５０、７５０と、パネル１１００の第３から第５部分１１３０、１１４０、１１５０とをしっかりと、かつ、確実に固定することができる。このようにして箱３５０、５５０、７５０をパネルに固定することによって、パッケージ１００に高い水準の耐久性を付与し、さらに、使用時にパネル１１００から箱３５０、５５０、７５０が外れる可能性を低減する。
【００２９】
図９から１２に示すように、パネル１１００の第３、第４及び第５部分１１３０、１１４０、１１５０は、平行六面体の箱３５０、５５０、７５０の後面３５２、５５２、７５２と共に、パッケージ１００の容器３００、５００、７００の後壁３０２、５０２、７０２をそれぞれ構成する。第３から第５部分１１３０、１１４０、１１５０は、容器３００、５００、７００それぞれの後壁３０２、５０２、７０２の外面を形成し、このことは、なんらかの情報をこれらパネル部分１１３０、１１４０、１１５０の表面に印刷可能であり、情報を箱３５０、５５０、７５０に印刷する必要なくユーザーに表示できることを意味する。
【００３０】
図９から１２を参照すると、パネル１１００はさらに、第１容器３００の第１側壁３０３、第１容器３００の前壁３０１、第３容器７００の第２側壁７０４及び第３容器７００の前壁７０１のそれぞれの外面を形成するための第６、第７、第８及び第９の部分１１６０、１１７０、１１８０、１１９０を含んでもよい。実際には、全ての容器３００、５００、７００の全ての壁の外面をパネル１１００で形成してもよい。
【００３１】
パネル１１００の第１部分から第９部分１１１０、１１２０、１１３０、１１４０、１１５０、１１６０、１１７０、１１８０、１１９０は、そのいずれにもユーザーに情報を提示するために印刷可能である。情報は、パッケージが上記のようなコンパクト化された状態び開いた状態のいずれの状態であっても、視認できる。このように情報が提示できるので、内蔵式の箱３５０、５５０、７５０の表面に情報を印刷する必要がなくなる。
【００３２】
したがって、パネル１１００は、パッケージ１００の剛性と頑丈性を両方を高め、さらに製造中に情報を印刷しなければならないパッケージ１００の構成部品の数を減らす。
【００３３】
判りやすくするために、上述の例のパッケージ１００は、蓋のない状態で説明し、図１から図１４に示している。しかしながら、図１から図１４に関して説明した全ての例のパッケージ１００は、図１５及び１６に示すような蓋１５００を含んでもよい。蓋１５００は、パネル１１００から形成可能であり、さらに、蓋１５００が閉じられたときに、蓋１５００を所定の位置に保持するために第３容器７００の後壁７０２に設けられた溝１１５５によって受け入れられるように構成される舌部１５１０を含んでもよい。舌部１５１０を受けるための溝１１５５は、パネル１１００の第５部分１１５０に設けられてもよい。
【００３４】
パッケージ１００は、たとえばプラスチック加工された厚紙、厚紙及び／または好適なプラスチックなどの材料から形成されてもよいが、しかし当然のことながら、多くの別の材料もまた好適に利用可能である。本発明は特許請求の範囲内の変性および種々の変形例をも包含するものである。
【図１】
2012509822.tif 000003
【図２】
2012509822.tif 000004
【図３】
2012509822.tif 000005
【図４】
2012509822.tif 000006
【図５】
2012509822.tif 000007
【図６】
2012509822.tif 000008
【図７】
2012509822.tif 000009
【図８】
2012509822.tif 000010
【図９】
2012509822.tif 000011
【図１０】
2012509822.tif 000012
【図１１】
2012509822.tif 000013
【図１２】
2012509822.tif 000014
【図１３】
2012509822.tif 000015
【図１４】
2012509822.tif 000016
【図１５】
2012509822.tif 000017
【図１６】
2012509822.tif 000018
【図１７】
2012509822.tif 000019
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
第１の実質的に平行六面体の箱（３５０）とこの第１の箱にしっかりと接合されたパネル（１１００）の第１の部分（１１３０）とを含む第１の実質的に平行六面体の容器（３００）と、
第２の実質的に平行六面体の箱（５５０）とこの第２の箱にしっかりと接合されたパネル（１１００）の第２の部分（１１４０）とを含む第２の実質的に平行六面体の容器（５００）と、
第３の実質的に平行六面体の箱（７５０）とこの第３の箱にしっかりと接合されたパネル（１１００）の第３の部分（１１５０）とを含む第３の実質的に平行六面体の容器（７００）と、
を含む喫煙品を収納するためのパッケージ（１００）において、
前記容器のそれぞれが、前壁（３０１、５０１、７０１）と、後壁（３０２、５０２、７０２）と、第１の側壁（３０３、５０３、７０３）及び第２の側壁（３０４、５０４、７０４）を含み、前壁及び後壁はそれぞれ各側壁よりも大きく、
第１容器の前壁または後壁の少なくとも一方が前記パネルの第１部分及び前記第１の箱の一部を含み、第２容器の前壁または後壁の少なくとも一方が前記パネルの第２部分及び前記第２の箱の一部を含み、さらに第３容器の前壁または後壁の少なくとも一方が前記パネルの第３部分及び前記第３の箱の一部を含み、
それぞれの前記容器が、パネル（１１００）の第４または第５の部分（１１１０、１１２０）によって、少なくとも１つの別の容器にしっかりと接合されている、パッケージ（１００）。
【請求項２】
パネルの前記第１、第２及び第３の部分が、第１、第２及び第３容器のそれぞれの前壁または後壁の外面を形成することを特徴とする、請求項１記載のパッケージ。
【請求項３】
パネルが前記容器のうちの少なくとも２つの容器の前壁及び後壁の両方の外面を形成することを特徴とする、請求項１または２記載のパッケージ。
【請求項４】
前記容器それぞれのの前壁または後壁の少なくとも一方は、実質的に平行六面体の前記箱のうちの１つからなるセクションをさらに含むことを特徴とする、請求項１記載のパッケージ。
【請求項５】
前記箱が内蔵式ユニットであり、前記箱のそれぞれの一面がパネルの表面に接着されていることを特徴とする、請求項１乃至４いずれか１項記載のパッケージ。
【請求項６】
前記容器のうちの少なくとも１つが複数の喫煙品を収納することを特徴とする、請求項１乃至５いずれか１項記載のパッケージ。
【請求項７】
情報をパッケージの使用者が視認できるようにパネルに印刷されることを特徴とする、請求項１乃至６いずれか１項記載のパッケージ。
【請求項８】
パッケージが、第１、第２及び第３の容器が平行六面体の形状になるように重ね合わせられたコンパクト化された状態になるように可動であることを特徴とする、請求項１乃至７いずれか１項記載のパッケージ。
【国際調査報告】
2012509822.tif 000020
2012509822.tif 000021
2012509822.tif 000022